(57)【要約】【課題】  消費電量を抑制しつつ、画像処理や音楽再生等の付加機能の質を向上した通信端末装置を提供する。【解決手段】  通信端末装置であって、音声信号または画像信号を含む信号を送信あるいは受信する送受信手段と、前記送受信手段により受信した信号を復号する復号処理手段と、前記送受信手段と前記復号処理手段を制御する第1の制御回路と、前記復号処理手段から出力された画像信号を処理する第2の制御回路と、前記第1の制御回路に電力を供給する第1の電力供給手段と、前記第2の制御回路に電力を供給する第2の電力供給手段を備え、前記通信端末装置が一定時間以上操作されなかった場合に前記第2の電力供給手段は前記第2の制御回路への電力供給を低減する。【選択図】  図１
2005117676.tif 000002
【特許請求の範囲】
【請求項１】
音声信号または画像信号を含む信号を送信あるいは受信する送受信手段と、
前記送受信手段により受信した信号を復号する復号処理手段と、
前記送受信手段および前記復号処理手段を制御する第1の制御回路と、
前記復号処理手段から出力された画像信号を処理する第2の制御回路と、
前記第1の制御回路に電力を供給する第1の電力供給手段と、
前記第2の制御回路に電力を供給する第2の電力供給手段と、
を備えていることを特徴とする通信端末装置。
【請求項２】
前記通信端末装置が一定時間以上操作されなかった場合に、前記第2の電力供給手段は、前記第2の制御回路への電力供給を低減することを特徴とする請求項１に記載の通信端末装置。
【請求項３】
前記通信端末装置は折畳式の装置であって、
前記通信端末装置が閉じている場合に、前記第2の電力供給手段は、前記第2の制御回路への電力供給を低減することを特徴とする請求項１に記載の通信端末装置。
【請求項４】
受信した音声信号を音声に変換するスピーカと、
音声を音声信号に変換するマイクと、
前記音声信号に符号復号処理を施す符号復号処理手段と、
前記符号復号処理回路の入出力信号を送受信する送受信手段と、
前記符号復号処理手段及び前記送受信手段を制御する第１の制御回路と、
前記第1の制御回路のプログラム及びデータを格納するメモリと、
前記第1の制御回路の指示に基づいて表示を行う第１の表示装置と、
画像処理を行う第２の制御回路と、
前記第２の制御回路の指示に基づいて表示を行う第２の表示装置と、
を備えてなることを特徴とする通信端末装置。
【請求項５】
前記第１の表示装置は文字あるいは図形を主体とした表示をおこない、第２の表示装置は画像主体の表示を行うことを特徴とする請求項４に記載の通信端末装置。
【請求項６】
前記第２の制御回路はＣＰＵ部分と周辺機能部分を有し、前記ＣＰＵ部分および周辺機能部分の電源を個別に制御することを特徴とする請求項４または５に記載の通信端末装置。
【請求項７】
前記通信端末装置が一定時間以上操作されなかった場合に、前記ＣＰＵ部分の電源をオフし、前記第１の制御回路は前記周辺機能部分を介して前記第２の表示装置を制御することを特徴とする請求項６に記載の通信端末装置。
【請求項８】
前記第１の制御回路による制御に基づいて前記第２の表示装置に表示する場合、表示画像サイズ又は表示色数を制限することを特徴とする請求項７に記載の通信端末装置。
【請求項９】
請求項６に記載の通信端末装置はバッテリーを備え、前期バッテリーの残量がある一定量以下になった場合に、前記第２の制御回路のＣＰＵ部分の電源をオフすることを特徴とする通信端末装置。
【請求項１０】
受信した音声信号を音声に変換するスピーカと、
入力された音声を音声信号に変換するマイクと、
前記スピーカ及びマイクの音声信号に符号復号処理を施す符号復号処理回路と、
前記符号復号処理回路の入出力信号を空中に送受信するための無線回路及びアンテナと、
前記無線回路及び前記符号復号処理回路を制御する第１の制御回路と、
前記制御回路のプログラム及びデータを格納するメモリと、
ユーザが操作するためのキーと、
前記制御回路の指示の基づいて表示を行う第１の表示装置と、
画像処理を行う第２の制御回路と、
前記第２の制御回路の指示に基づいて表示を行う第２の表示装置と、
前記第１の制御回路と前記第２の制御回路とのインターフェースの信号数と前記第２の制御回路と前記第２の表示装置とのインターフェースの信号数とが異なることを特徴とする通信端末装置。
【請求項１１】
請求項１０において、前記第２の制御回路と前記第２の表示装置とのインターフェースの信号数と前記第２の制御回路と前記第１の表示装置とのインターフェースの信号数とが異なることを特徴とする通信端末装置。
【発明の詳細な説明】
【技術分野】
【０００１】
本発明は、音声およびデータにより通信を行う通信端末装置に関する。
【背景技術】
【０００２】
近年、通話機能以外に、ゲーム機能や音楽再生機能を搭載した携帯電話が提供されるようになっている。例えば、特開２０００−３０８２６９号公報には、通話機能と音楽再生機能とを有した携帯電話が記載されている。また、インターネットや携帯電話用のｗｅｂサイトの普及により、静止画像、あるいは動画像を携帯電話で閲覧することが行われている。
【０００３】
【特許文献１】特開２０００−３０８２６９号公報
【発明の開示】
【発明が解決しようとする課題】
【０００４】
しかし、従来の携帯電話は、音声通信が主目的のため、圧縮された画像データの伸張等の画像処理を行うには能力が不足していた。その結果、表示画面上に良好な画像再生ができないという問題がある。
【０００５】
また、画像処理能力等の付加機能の質を向上しようとすると、通話機能以外の処置負担が増え、肝心の通話機能に影響を与えることになる。上記公報には、バッテリ残量が所定値以下になると通話機能以外の付加機能を停止し、基本機能である通話機能を保持することが記載されている。しかし、消費される電力自体を抑制しないと、付加機能を高品質にするに従い、その機能を利用できない場合が多くなってしまうという問題がある。
【０００６】
そこで、本発明は、消費電量を抑制しつつ、画像処理や音楽再生等の付加機能の質を向上した通信端末装置を提供することを目的とする。
【課題を解決するための手段】
【０００７】
上記問題点を解決するため、本発明にかかる通信端末装置は、音声信号または画像信号を含む信号を送信あるいは受信する送受信手段と、前記送受信手段により受信した信号を復号する復号処理手段と、前記送受信手段と前記復号処理手段を制御する第1の制御回路と、前記復号処理手段から出力された画像信号を処理する第2の制御回路と、前記第1の制御回路に電力を供給する第1の電力供給手段と、前記第2の制御回路に電力を供給する第2の電力供給手段と、を備える構成とする。そして、前記通信端末装置が一定時間以上操作されなかった場合に、前記第2の電力供給手段は、前記第2の制御回路への電力供給を低減することを特徴とする。あるいは、前記通信端末装置は折畳式の装置であり、前記通信端末装置が閉じている場合に、前記第2の電力供給手段は、前記第2の制御回路への電力供給を低減することを特徴とする。
【発明の効果】
【０００８】
本発明によれば、消費電量を抑制しつつ、画像処理や音楽再生等の付加機能の質を向上することができる。
【発明を実施するための最良の形態】
【０００９】
本発明の実施の形態を図面を用いて説明する。
第1の実施形態は、本発明を携帯電話等の通信端末装置に適用したものである。
【００１０】
図１は、第1の実施形態に係る通信端末装置の構成を示すブロック図である。１はアンテナ、２は無線回路、３は符号復号処理回路、４はマイク、５はスピーカ、６は第1の表示装置、７はキー入力装置、８はメモリ装置、９はＣＰＵを主体とする第1の制御回路、１０はＣＰＵを主体とする第2の制御回路、１１は第2の表示装置である。また、本実施形態に係る通信端末装置は図２に示すような折畳可能なものであり、図２（ａ）に示すように端末が開いている状態か、あるいは図２（ｂ）に示すように閉じている状態であるかを検出するための開閉検出回路12を備えている。
【００１１】
以下、各部の動作を説明する。
アンテナ１は、空中を伝送されてきた電波を受信し、高周波電気信号に変換し、無線回路２に入力する。また、これとは逆に、無線回路２から出力された高周波電気信号を電波に変換して空中に放出する。無線回路２は、第1の制御回路９の指示に基づき、アンテナ1で受信した高周波電気信号を復調し、符号復号処理回路３に入力する。また無線回路２は、符号復号処理回路３の出力信号に変調処理を施し、高周波電気信号に変換してアンテナ1に出力する。
【００１２】
符号復号処理回路３は、無線回路２の出力信号に復号処理を施した後、音声データはスピーカ５に出力し、圧縮音楽データや圧縮画像データは第1の制御回路９を通じて第２の制御回路１０に出力する。
【００１３】
第1の制御回路９は、開閉検出回路１２により通信端末装置の開閉を検出する。図２（ａ）に示すように端末が開いている場合は、第1の制御回路９は、キー入力装置７により入力されたキーを検出し、入力されたキーに対応した文字または図形を示すコードを第２の制御回路１０に出力する。第1の制御回路９から入力された文字または図形を示すコードを文字化または図形化し、第２の表示装置１１に出力する。例えば図４に示すように、第2の表示装置１に表示する。
【００１４】
一方、図２（ｂ）に示すように端末が閉じている場合は、符号復号処理回路３からのコードに応じて、メモリ８から前記コードに応じたテキストまたは図形情報を表示するための画像信号を第一の表示装置６に出力する。例えば、図３に示すように第1の表示装置６に表示する。
【００１５】
第２の制御回路１０は、圧縮画像データを高速で伸張処理し、画像を生成する。あるいは、圧縮音楽データを伸張処理し、音楽を再生する。処理負荷の大きい圧縮画像データの伸張処理等を第2の制御回路１０で行うことにより、ユーザが動画像を閲覧等している場合であっても、第1の制御回路９は音声通信処理に専念できる。そのため、タイムアウトによる切断などの弊害を大幅に低減し、通信端末装置の基本機能である通話を確保することができる。このように、本実施形態によれば、第1の制御回路の他に、画像処理や音楽再生を行う第２の制御回路１０を備えることにより、通話機能を保持しつつ、画像処理機能や音楽再生機能の質を向上することができる。
【００１６】
尚、Ｖｉｄｅｏインターフェース１及びＶｉｄｅｏインターフェース２は、水平垂直の同期信号と同期したデジタル信号を使用するものであっても良いし、ＣＰＵバスのようなパラレルバスであっても良い。また、２線式または３線式のシリアルバスであったとしても本発明を逸脱するものではない。
【００１７】
本発明の第２の実施形態について説明する。
図５は、本発明の第２の実施形態の構成を示すブロック図である。図１と同一部分には同一符号を付し、重複する説明は省略する。
図５において、１０１は第２の制御回路のCPU、１０２は第２の制御回路の周辺回路、１０４はCPU１０１からのチップセレクト信号CS2ｂと第１の制御回路９からのチップセレクト信号CS2ａを選択して出力する切り換えスイッチである。ここで、チップセレクト信号とはバスに出力された信号の取り込みタイミングを指示する制御信号である。
【００１８】
１０５はＣＰＵ１０１の電源、１０６は周辺回路１０２の電源である。ＣＰＵ１０１と周辺回路１０２の電源を分離した理由は、図２（ｂ）のようにセットを閉じた状態、または、図２（ａ）のようにセットを開いたまま、ある一定時間放置したときに、ＣＰＵ１０１の電源１０５のみをオフし、節電できるようにするためである。このような構成にすることにより、第１の制御回路９は周辺回路１０２を通じて第１の表示装置６及び、第２の表示装置１１に画像データを供給することができる。
【００１９】
切り換えスイッチ１０４は、図２（ａ）に示すようにセットを開いて使用している時はＣＰＵ１０１のチップセレクト信号ＣＳ２ｂを選択し、第２の表示装置１１に画像データを供給する。そして、第２の表示装置１１は、ＣＰＵ１０１の制御により前記画像を表示する。
【００２０】
通話が終了したにも関わらず、開いたまま一定時間放置された場合にはＣＰＵ１０１の電源１０５をオフする。切り換えスイッチ１０４は、第１の制御回路９のチップセレクト信号ＣＳ２ａを選択し、第２の表示装置に画像データを供給する。第２の表示装置１１は、第１の制御回路９の制御で前記画像データの表示を行う。
【００２１】
このように、ＣＰＵ１０１の電源１０５をオフし、第１の制御回路により第２の表示装置への表示を行うように切り換えることにより、消費電力を抑制することができる。なお、ＣＰＵ１０１への電源供給を完全に０にする場合に限定されず、微弱な電源を供給するように制御するようにしても良い。この場合、完全に電源供給をストップした場合に比べて若干の電力が消費されるものの、ＣＰＵ１０１を再起動させる場合に要する時間やＣＰＵ１０１への負荷を軽減することができる。
【００２２】
また、第２の表示装置は図６に示すように、画面の一部に表示を行うパーシャルモードで表示を行うようにしても良いし、表示する色数を落として表示を行うようにしても良い。このような表示を行うことにより、さらに消費電力を低減することができる。
【００２３】
また、第２の表示装置１１に表示する場合の例について説明したが、これに限られるものでなく、バッテリーの残量がある一定量以下のときには消費電力の少ない表示装置に表示するように制御しても良い。例えば、表示画面の小さい第１の表示装置６に表示を行う。
【００２４】
なお、キー入力がなく一定時間放置した場合に限らず、画像処理等を行っていない場合や通信端末装置が閉じている場合に、ＣＰＵ１０１の電源を落とし、第1の制御回路により表示装置を制御するようにしても良い。
【００２５】
また、２つのＣＰＵ（制御回路）を備えた場合について説明したが、３以上のＣＰＵを備えた通信端末装置においても、画像処理や音楽記録再生処理を行っていない場合等に、画像処理や音楽再生等のアプリケーション用のＣＰＵの供給電源をオフあるいは微弱にするように制御することにより、消費電力を低減することができる。
【００２６】
次に、本実施形態におけるバス幅の使い分けについて説明する。
図５において、１２１は第１の制御回路９と周辺回路１０２を接続するバス、１２２はＣＰＵ１０１と周辺回路１０２を接続するバス、１２３は周辺回路１０２と第２の表示装置１１を接続するバス、１２４は周辺回路１０２と第１の表示装置６を接続するバスである。ここでは、バス１２１は８ｂｉｔ、バス１２２は１６ビット、バス１２３は１６ビット、バス１２４は８ビットのバス幅を使用する場合を例にして説明する。
【００２７】
バス幅を多くすると１度に多くの情報を送ることができるため、伝送効率が向上する一方、多くの信号線を必要とするため、ＬＳＩの端子数の増大によるパッケージの大型化、信号線の増大による基板サイズの大型化などのデメリットがある。そこで、本実施形態では８ｂｉｔと１６ｂｉｔのバス幅を必要に応じて使い分ける。
【００２８】
図５において、第１の制御回路９と周辺回路１０２を接続するバス１２１は、主にコマンドや圧縮されたデータを伝送するため、大量のデータ転送容量は必要ないため、８ビットのバス幅にしている。ＣＰＵ１０１と周辺回路１０２を接続するバス１２２は、第２の制御回路１０の内部バスであるため、幅が多くてもセットに影響は少ない。また、演算処理や、伸張された大容量のデータ転送に使用するため、データ転送容量を必要とするため、１６ｂｉｔ幅としている。周辺回路１０２と第２の表示装置１１を接続するバス１２３は、動画が主体の画像データを転送するため、１６ｂｉｔ幅を使用している。周辺回路１０２と第１の表示装置６を接続するバス１２４については、第１の表示装置が主に、文字や簡単な図形表示用のため、８ｂｉｔ幅としている。
【００２９】
このように、必要とされるデータ転送容量やセット内の配置場所に応じて、各バスのバス幅を設定することにより、パッケージの大型化を抑制しつつ、伝送効率の向上を図ることができる。
【００３０】
なお、本実施形態では８ｂｉｔまたは１６ｂｉｔ幅のバスを使用する場合の例について述べたが、これに限られるものでなく、３２ｂｉｔ以上のバス幅を使用しても良い。また、少ない方では４ｂｉｔバスでも良いし、２線式または３線式のシリアルバスを使用しても良い。
【００３１】
以上第1および第2の実施形態では、本発明を図２にしめすような、いわゆる折畳式の通信端末装置に適用した場合について説明したが、これに限定するものではなく、いわゆる“ストレート型”の通信端末装置に適用してもよい。
【図面の簡単な説明】
【００３２】
【図１】本発明の第1の実施形態にかかる通信端末装置の構成を示す図である。
【図２】本発明にかかる通信端末装置の外観の一例を示す図である。
【図３】本発明の実施形態にかかる通信端末装置における第1の表示装置の表示例である。
【図４】本発明の実施形態にかかる通信端末装置における第２の表示装置の表示例である。
【図５】本発明の第２の実施形態にかかる通信端末装置の構成を示す図である。
【図６】本発明の実施形態にかかる通信端末装置における第２の表示装置の表示例である。
【符号の説明】
【００３３】
１…アンテナ、２…無線回路、３…符号復号処理回路、４…マイク、５…スピーカ、６…第１の表示装置、７…キー入力装置、８…メモリ、９…第１の制御回路、１０…第２の制御回路、１０１…ＣＰＵ、１０２…周辺回路、１０４…切り換えスイッチ、１０５…ＣＰＵ電源、１０６…周辺回路電源１１…第２の表示装置、１２…開閉検出回路、１２１〜１２４…バス。
【図１】
2005117676.tif 000003
【図２】
2005117676.tif 000004
【図３】
2005117676.tif 000005
【図４】
2005117676.tif 000006
【図５】
2005117676.tif 000007
【図６】
2005117676.tif 000008
【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
音声信号または画像信号の送受信が可能な開閉式の通信端末装置において、
音声信号または画像信号を含む信号を送信または受信する送受信部と、
画像を表示する表示部と、
音声通信処理を行い、前記表示部とバスを介して接続される第１の制御部と、
圧縮画像データの伸張処理を行い、前記表示部とバスを介して接続される第２の制御部と、
通信端末装置の開閉を検出する開閉検出部と、を備え、
前記通信端末装置が開いた状態では前記第１の制御部と前記第２の制御部により前記表示部を制御し、前記通信端末装置が閉じた状態では前記第１の制御部により前記表示部を制御することを特徴とする通信端末装置。
【請求項２】
音声信号または画像信号の送受信が可能な開閉式の通信端末装置において、
音声信号または画像信号を含む信号を送信または受信する送受信部と、
画像を表示する表示部と、
音声通信処理を行い、前記表示部とバスを介して接続される第１の制御部と、
圧縮画像データの伸張処理を行い、前記表示部とバスを介して接続される第２の制御部と、
通信端末装置の開閉を検出する開閉検出部と、を備え、
前記通信端末が操作されない状態で一定時間経過するまでは前記第１の制御部と前記第２の制御部により前記表示部を制御し、前記通信端末が操作されない状態で一定時間経過したときは前記第１の制御部により前記表示部を制御することを特徴とする通信端末装置。
【請求項３】
音声信号または画像信号の送受信が可能な開閉式の通信端末装置において、
音声信号または画像信号を含む信号を送信または受信する送受信部と、
第１の表示部と、
第２の表示部と、
音声通信処理を行い、前記第１の表示部を制御する第１の制御部と、
圧縮画像データの伸張処理を行い、前記第２の表示部を制御する第２の制御部と、
通信端末装置の開閉を検出する開閉検出部と、を備え、
前記通信端末が操作されない状態で一定時間経過するまでは前記第２の制御部により前記第２の表示部を制御し、前記通信端末が操作されない状態で一定時間経過したときは前記第２の表示部から第１の表示部へ表示を切り替え、また、表示の制御を前記第２の制御部から前記第１の制御部に切り替えることを特徴とする通信端末装置。
【請求項４】
音声信号または画像信号を含む信号を送信あるいは受信する送受信手段と、
前記送受信手段により受信した信号を復号する復号処理手段と、
前記送受信手段および前記復号処理手段を制御する第1の制御回路と、
前記復号処理手段から出力された画像信号を処理する第2の制御回路と、
前記第1の制御回路に電力を供給する第1の電力供給手段と、
前記第2の制御回路に電力を供給する第2の電力供給手段と、
を備えていることを特徴とする通信端末装置。
【手続補正２】
【補正対象書類名】明細書
【補正対象項目名】０００６
【補正方法】変更
【補正の内容】
【０００６】
そこで、本発明は、消費電力を抑制可能な通信端末装置を提供することを目的とする。
【手続補正３】
【補正対象書類名】明細書
【補正対象項目名】０００７
【補正方法】変更
【補正の内容】
【０００７】
上記問題点を解決するため、本発明にかかる通信端末装置は、音声信号または画像信号を含む信号を送信または受信する送受信部と、画像を表示する表示部と、音声通信処理を行い、前記表示部とバスを介して接続される第１の制御部と、圧縮画像データの伸張処理を行い、前記表示部とバスを介して接続される第２の制御部と、通信端末装置の開閉を検出する開閉検出部と、を備え、前記通信端末装置が開いた状態では前記第１の制御部と前記第２の制御部により前記表示部を制御し、前記通信端末装置が閉じた状態では前記第１の制御部により前記表示部を制御することを特徴とする。
また、音声信号または画像信号を含む信号を送信または受信する送受信部と、画像を表示する表示部と、音声通信処理を行い、前記表示部とバスを介して接続される第１の制御部と、圧縮画像データの伸張処理を行い、前記表示部とバスを介して接続される第２の制御部と、通信端末装置の開閉を検出する開閉検出部と、を備え、前記通信端末が操作されない状態で一定時間経過するまでは前記第１の制御部と前記第２の制御部により前記表示部を制御し、前記通信端末が操作されない状態で一定時間経過したときは前記第１の制御部により前記表示部を制御することを特徴とする。
【手続補正４】
【補正対象書類名】明細書
【補正対象項目名】０００８
【補正方法】変更
【補正の内容】
【０００８】
本発明によれば、消費電力を抑制可能な通信端末装置を提供することができる。
【手続補正５】
【補正対象書類名】図面
【補正対象項目名】図５
【補正方法】変更
【補正の内容】
【図５】
2005117676.tif 000009